(57)【要約】【課題】簡易な処理で、対象地点への到達状況に対して特典を付与することが可能な情報処理装置、情報処理システム、情報処理方法および情報処理プログラムを提供する。【解決手段】情報処理装置は、対象地点を決定し、決定した前記対象地点を示す地点情報を作成する地点決定部と、前記地点決定部によって作成された前記地点情報を端末装置に通知する通知部と、前記端末装置の位置情報を取得する取得部と、前記取得部によって取得された前記位置情報に基づいて、前記端末装置の前記対象地点への到達状況を判断する判断部と、前記判断部による判断結果に基づいて、特典を付与することを決定する特典付与部とを備え、前記地点決定部は、前記端末装置に対応する人物の属性に基づいて前記対象地点を決定する。【選択図】図４
2017021529.tif 000002
【特許請求の範囲】
【請求項１】
対象地点を決定し、決定した前記対象地点を示す地点情報を作成する地点決定部と、
前記地点決定部によって作成された前記地点情報を端末装置に通知する通知部と、
前記端末装置の位置情報を取得する取得部と、
前記取得部によって取得された前記位置情報に基づいて、前記端末装置の前記対象地点への到達状況を判断する判断部と、
前記判断部による判断結果に基づいて、特典を付与することを決定する特典付与部とを備え、
前記地点決定部は、前記端末装置に対応する人物の属性に基づいて前記対象地点を決定する、情報処理装置。
【請求項２】
前記地点決定部は、同じ特典に対して異なる内容の前記地点情報を作成可能である、請求項１に記載の情報処理装置。
【請求項３】
前記属性は、前記人物の嗜好、前記人物の年齢、前記人物の性別、前記人物の居住地、前記人物の職業、前記人物の家族構成および前記人物の乗車する車両の種類の少なくともいずれか１つを含む、請求項１または請求項２に記載の情報処理装置。
【請求項４】
前記地点決定部は、前記対象地点を決定し、決定した前記対象地点および前記対象地点に前記端末装置が到達すべき時間を示す地点情報を作成する、請求項１から請求項３のいずれか１項に記載の情報処理装置。
【請求項５】
前記情報処理装置は、さらに、
前記対象地点に対応する特典を示す特典情報を作成する特典情報処理部を備え、
前記通知部は、さらに、前記特典情報処理部によって作成された前記特典情報を前記端末装置に通知し、
前記特典情報処理部は、前記端末装置の移動履歴に基づいて前記特典情報の内容を決定する、請求項１から請求項４のいずれか１項に記載の情報処理装置。
【請求項６】
前記特典の利用先は、前記情報処理装置に登録された店舗である、請求項１から請求項５のいずれか１項に記載の情報処理装置。
【請求項７】
情報処理装置と、
端末装置とを備え、
前記情報処理装置は、対象地点を決定し、決定した前記対象地点を示す地点情報を作成し、作成した前記地点情報を前記端末装置に通知し、
さらに、
前記端末装置の位置情報を取得する取得部と、
前記取得部によって取得された前記位置情報に基づいて、前記端末装置の前記対象地点への到達状況を判断する判断部と、
前記判断部による判断結果に基づいて、特典を付与することを決定する特典付与部とを備え、
前記情報処理装置は、前記端末装置に対応する人物の属性に基づいて前記対象地点を決定する、情報処理システム。
【請求項８】
情報処理装置における情報処理方法であって、
対象地点を決定し、決定した前記対象地点を示す地点情報を作成するステップと、
作成した前記地点情報を端末装置に通知するステップと、
前記端末装置の位置情報を取得するステップと、
取得した前記位置情報に基づいて、前記端末装置の前記対象地点への到達状況を判断するステップと、
判断した結果に基づいて、特典を付与することを決定するステップとを含み、
前記地点情報を作成するステップにおいては、前記端末装置に対応する人物の属性に基づいて前記対象地点を決定する、情報処理方法。
【請求項９】
情報処理装置と、端末装置とを備える情報処理システムにおける情報処理方法であって、
前記情報処理装置が、対象地点を決定し、決定した前記対象地点を示す地点情報を作成するステップと、
前記情報処理装置が、作成した前記地点情報を前記端末装置に通知するステップと、
前記端末装置の位置情報を取得するステップと、
取得した前記位置情報に基づいて、前記端末装置の前記対象地点への到達状況を判断するステップと、
判断した結果に基づいて、特典を付与することを決定するステップとを含み、
前記地点情報を作成するステップにおいては、前記情報処理装置は、前記端末装置に対応する人物の属性に基づいて前記対象地点を決定する、情報処理方法。
【請求項１０】
情報処理装置において用いられる情報処理プログラムであって、
コンピュータに、
対象地点を決定し、決定した前記対象地点を示す地点情報を作成するステップと、
作成した前記地点情報を端末装置に通知するステップと、
前記端末装置の位置情報を取得するステップと、
取得した前記位置情報に基づいて、前記端末装置の前記対象地点への到達状況を判断するステップと、
判断した結果に基づいて、特典を付与することを決定するステップとを実行させるためのプログラムであり、
前記地点情報を作成するステップにおいては、前記端末装置に対応する人物の属性に基づいて前記対象地点を決定する、情報処理プログラム。
【発明の詳細な説明】
【技術分野】
【０００１】
本発明は、情報処理装置、情報処理システム、情報処理方法および情報処理プログラムに関し、特に、位置情報を取得する情報処理装置、情報処理システム、情報処理方法および情報処理プログラムに関する。
【背景技術】
【０００２】
たとえば、非特許文献１（”ウィキペディア”、［ｏｎｌｉｎｅ］、［平成２７年６月１７日検索］、インターネット〈ＵＲＬ：ｊａ．ｗｉｋｉｐｅｄｉａ．ｏｒｇ／ｗｉｋｉ／ＱＲコード〉）には、ＱＲコード（登録商標）について記載されている。バーコードは横方向にしか情報を持たないのに対し、ＱＲコードは縦横に情報を持つ。そのため、格納できる情報量が多く、数字だけでなく英字または漢字等の多言語のデータも格納できる。
【０００３】
また、カメラ付きの携帯電話およびＰＨＳ端末の多くがＱＲコード対応になっている。携帯電話およびＰＨＳ端末は、内蔵カメラでＱＲコードを撮影し、撮影したＱＲコードの情報内容を認識することができる。
【先行技術文献】
【非特許文献】
【０００４】
【非特許文献１】”ウィキペディア”、［ｏｎｌｉｎｅ］、［平成２７年６月１７日検索］、インターネット〈ＵＲＬ：ｊａ．ｗｉｋｉｐｅｄｉａ．ｏｒｇ／ｗｉｋｉ／ＱＲコード〉
【発明の概要】
【発明が解決しようとする課題】
【０００５】
たとえば、ＱＲコードを用いてスタンプラリーが電子的に行われる場合がある。より詳細には、たとえば、スタンプラリーの主催者は、所定の場所（以下、掲示場所とも称する。）においてＱＲコードを掲示する。スタンプラリーの参加者は、掲示場所に到達すると、ＱＲコード対応のカメラ付き携帯電話を用いて、掲示されたＱＲコードの情報内容を取得する。携帯電話により取得された情報内容は、掲示場所に参加者が到達したか否かの判断に用いられる。参加者は、到達した掲示場所の個数または種類等に応じて特典を受けることができる。
【０００６】
しかしながら、このようなスタンプラリーを行う場合、主催者は掲示場所においてＱＲコードを掲示する必要があるため、手間がかかるという問題がある。
【０００７】
この発明は、上述の課題を解決するためになされたもので、その目的は、簡易な処理で、対象地点への到達状況に対して特典を付与することが可能な情報処理装置、情報処理システム、情報処理方法および情報処理プログラムを提供することである。
【課題を解決するための手段】
【０００８】
（１）上記課題を解決するために、この発明のある局面に係わる情報処理装置は、対象地点を決定し、決定した前記対象地点を示す地点情報を作成する地点決定部と、前記地点決定部によって作成された前記地点情報を端末装置に通知する通知部と、前記端末装置の位置情報を取得する取得部と、前記取得部によって取得された前記位置情報に基づいて、前記端末装置の前記対象地点への到達状況を判断する判断部と、前記判断部による判断結果に基づいて、特典を付与することを決定する特典付与部とを備え、前記地点決定部は、前記端末装置に対応する人物の属性に基づいて前記対象地点を決定する。
【０００９】
（７）上記課題を解決するために、この発明のある局面に係わる情報処理システムは、情報処理装置と、端末装置とを備え、前記情報処理装置は、対象地点を決定し、決定した前記対象地点を示す地点情報を作成し、作成した前記地点情報を前記端末装置に通知し、さらに、前記端末装置の位置情報を取得する取得部と、前記取得部によって取得された前記位置情報に基づいて、前記端末装置の前記対象地点への到達状況を判断する判断部と、前記判断部による判断結果に基づいて、特典を付与することを決定する特典付与部とを備え、前記情報処理装置は、前記端末装置に対応する人物の属性に基づいて前記対象地点を決定する。
【００１０】
（８）上記課題を解決するために、この発明のある局面に係わる情報処理方法は、情報処理装置における情報処理方法であって、対象地点を決定し、決定した前記対象地点を示す地点情報を作成するステップと、作成した前記地点情報を端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを含み、前記地点情報を作成するステップにおいては、前記端末装置に対応する人物の属性に基づいて前記対象地点を決定する。
【００１１】
（９）上記課題を解決するために、この発明の他の局面に係わる情報処理方法は、情報処理装置と、端末装置とを備える情報処理システムにおける情報処理方法であって、前記情報処理装置が、対象地点を決定し、決定した前記対象地点を示す地点情報を作成するステップと、前記情報処理装置が、作成した前記地点情報を前記端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを含み、前記地点情報を作成するステップにおいては、前記情報処理装置は、前記端末装置に対応する人物の属性に基づいて前記対象地点を決定する。
【００１２】
（１０）上記課題を解決するために、この発明のある局面に係わる情報処理プログラムは、情報処理装置において用いられる情報処理プログラムであって、コンピュータに、対象地点を決定し、決定した前記対象地点を示す地点情報を作成するステップと、作成した前記地点情報を端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを実行させるためのプログラムであり、前記地点情報を作成するステップにおいては、前記端末装置に対応する人物の属性に基づいて前記対象地点を決定する。
【００１３】
本発明は、このような特徴的な処理部を備える情報処理装置として実現できるだけでなく、かかる特徴的な処理部を備える情報処理システムとして実現することができる。また、情報処理装置の一部または全部を実現する半導体集積回路として実現することができる。
【発明の効果】
【００１４】
本発明によれば、簡易な処理で、対象地点への到達状況に対して特典を付与することができる。
【図面の簡単な説明】
【００１５】
【図１】図１は、本発明の第１の実施の形態に係る情報処理システムの構成を示す図である。
【図２】図２は、本発明の第１の実施の形態に係る情報処理システムにおける、地域活性化サービスを提供するための情報処理のシーケンスの一例を示す図である。
【図３】図３は、本発明の第１の実施の形態に係る情報処理システムにおける端末装置の構成を示す図である。
【図４】図４は、本発明の第１の実施の形態に係る情報処理システムにおける情報処理装置の構成を示す図である。
【図５】図５は、本発明の第１の実施の形態に係る情報処理装置における地点決定部２４が作成するスタンプラリーマップの一例を示す図である。
【図６】図６は、本発明の第１の実施の形態に係る情報処理装置における地点決定部２４が作成するスタンプラリーマップの他の例を示す図である。
【図７】図７は、本発明の第１の実施の形態に係る端末装置における表示部が表示するスタンプラリーマップの一例を示す図である。
【図８】図８は、本発明の第１の実施の形態に係る情報処理システムにおける、特典付与処理のシーケンスの一例を示す図である。
【図９】図９は、本発明の第２の実施の形態に係る情報処理システムの構成を示す図である。
【図１０】図１０は、本発明の第２の実施の形態に係る情報処理システムにおける端末装置の構成を示す図である。
【図１１】図１１は、本発明の第２の実施の形態に係る情報処理システムにおける、地域活性化サービスを提供するための情報処理のシーケンスの一例を示す図である。
【発明を実施するための形態】
【００１６】
最初に、本発明の実施形態の内容を列記して説明する。
【００１７】
（１）本発明の実施の形態に係る情報処理装置は、対象地点を決定し、決定した前記対象地点を示す地点情報を作成する地点決定部と、前記地点決定部によって作成された前記地点情報を端末装置に通知する通知部と、前記端末装置の位置情報を取得する取得部と、前記取得部によって取得された前記位置情報に基づいて、前記端末装置の前記対象地点への到達状況を判断する判断部と、前記判断部による判断結果に基づいて、特典を付与することを決定する特典付与部とを備え、前記地点決定部は、前記端末装置に対応する人物の属性に基づいて前記対象地点を決定する。
【００１８】
このように、端末装置の位置情報を取得する構成により、たとえば、スタンプラリーの参加者が対象地点において掲示されたＱＲコードの情報内容を取得しなくても、端末装置の位置情報に基づいて、端末装置の対象地点への到達状況を判断することができるので、スタンプラリーの主催者によるＱＲコードの掲示の手間を軽減することができる。したがって、簡易な処理で、対象地点への到達状況に対して特典を付与することができる。
【００１９】
さらに、このような構成により、端末装置に対応する人物すなわちユーザの属性とマッチする適切な対象地点を示す地点情報を作成して当該ユーザに通知することができる。
【００２０】
（２）好ましくは、前記地点決定部は、同じ特典に対して異なる内容の前記地点情報を作成可能である。
【００２１】
このような構成により、複数のユーザに対して同じ特典で異なる内容の地点情報を通知することができるので、対象地点がユーザの属性にマッチする可能性を高めることができる。これにより、ユーザが対象地点へ訪問しようとする意欲を高めることができるので、ユーザを対象地点に効率よく誘導することができる。また、ユーザは、自己の属性にマッチする対象地点を訪問して特典を取得することができるので、ユーザの満足度を高めることができる。
【００２２】
（３）好ましくは、前記属性は、前記人物の嗜好、前記人物の年齢、前記人物の性別、前記人物の居住地、前記人物の職業、前記人物の家族構成および前記人物の乗車する車両の種類の少なくともいずれか１つを含む。
【００２３】
このような構成により、端末装置に対応する人物すなわちユーザの属性をより正しく認識することができるので、より適切な対象地点を示す地点情報を作成して当該ユーザに通知することができる。
【００２４】
（４）好ましくは、前記地点決定部は、前記対象地点を決定し、決定した前記対象地点および前記対象地点に前記端末装置が到達すべき時間を示す地点情報を作成する。
【００２５】
このような構成により、端末装置のユーザを、より効果的な時間に対象地点へ誘導することができる。
【００２６】
（５）好ましくは、前記情報処理装置は、さらに、前記対象地点に対応する特典を示す特典情報を作成する特典情報処理部を備え、前記通知部は、さらに、前記特典情報処理部によって作成された前記特典情報を前記端末装置に通知し、前記特典情報処理部は、前記端末装置の移動履歴に基づいて前記特典情報の内容を決定する。
【００２７】
このような構成により、端末装置の移動履歴に基づいてたとえば端末装置のユーザの属性を取得することができるので、取得した属性にマッチする特典を当該ユーザに提示することができる。
【００２８】
（６）好ましくは、前記特典の利用先は、前記情報処理装置に登録された店舗である。
【００２９】
このような構成により、当該店舗は、端末装置のユーザを効率よく集客することができる。
【００３０】
（７）本発明の実施の形態に係る情報処理システムは、情報処理装置と、端末装置とを備え、前記情報処理装置は、対象地点を決定し、決定した前記対象地点を示す地点情報を作成し、作成した前記地点情報を前記端末装置に通知し、さらに、前記端末装置の位置情報を取得する取得部と、前記取得部によって取得された前記位置情報に基づいて、前記端末装置の前記対象地点への到達状況を判断する判断部と、前記判断部による判断結果に基づいて、特典を付与することを決定する特典付与部とを備え、前記情報処理装置は、前記端末装置に対応する人物の属性に基づいて前記対象地点を決定する。
【００３１】
このように、端末装置の位置情報を取得する構成により、たとえば、スタンプラリーの参加者が対象地点において掲示されたＱＲコードの情報内容を取得しなくても、端末装置の位置情報に基づいて、端末装置の対象地点への到達状況を判断することができるので、スタンプラリーの主催者によるＱＲコードの掲示の手間を軽減することができる。したがって、簡易な処理で、対象地点への到達状況に対して特典を付与することができる。
【００３２】
さらに、このような構成により、端末装置に対応する人物すなわちユーザの属性とマッチする適切な対象地点を示す地点情報を作成して当該ユーザに通知することができる。
【００３３】
（８）本発明の実施の形態に係る情報処理方法は、情報処理装置における情報処理方法であって、対象地点を決定し、決定した前記対象地点を示す地点情報を作成するステップと、作成した前記地点情報を端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを含み、前記地点情報を作成するステップにおいては、前記端末装置に対応する人物の属性に基づいて前記対象地点を決定する。
【００３４】
このように、端末装置の位置情報を取得する構成により、たとえば、スタンプラリーの参加者が対象地点において掲示されたＱＲコードの情報内容を取得しなくても、端末装置の位置情報に基づいて、端末装置の対象地点への到達状況を判断することができるので、スタンプラリーの主催者によるＱＲコードの掲示の手間を軽減することができる。したがって、簡易な処理で、対象地点への到達状況に対して特典を付与することができる。
【００３５】
さらに、このような構成により、端末装置に対応する人物すなわちユーザの属性とマッチする適切な対象地点を示す地点情報を作成して当該ユーザに通知することができる。
【００３６】
（９）本発明の実施の形態に係る情報処理方法は、情報処理装置と、端末装置とを備える情報処理システムにおける情報処理方法であって、前記情報処理装置が、対象地点を決定し、決定した前記対象地点を示す地点情報を作成するステップと、前記情報処理装置が、作成した前記地点情報を前記端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを含み、前記地点情報を作成するステップにおいては、前記情報処理装置は、前記端末装置に対応する人物の属性に基づいて前記対象地点を決定する。
【００３７】
このように、端末装置の位置情報を取得する構成により、たとえば、スタンプラリーの参加者が対象地点において掲示されたＱＲコードの情報内容を取得しなくても、端末装置の位置情報に基づいて、端末装置の対象地点への到達状況を判断することができるので、スタンプラリーの主催者によるＱＲコードの掲示の手間を軽減することができる。したがって、簡易な処理で、対象地点への到達状況に対して特典を付与することができる。
【００３８】
さらに、このような構成により、端末装置に対応する人物すなわちユーザの属性とマッチする適切な対象地点を示す地点情報を作成して当該ユーザに通知することができる。
【００３９】
（１０）本発明の実施の形態に係る情報処理プログラムは、情報処理装置において用いられる情報処理プログラムであって、コンピュータに、対象地点を決定し、決定した前記対象地点を示す地点情報を作成するステップと、作成した前記地点情報を端末装置に通知するステップと、前記端末装置の位置情報を取得するステップと、取得した前記位置情報に基づいて、前記端末装置の前記対象地点への到達状況を判断するステップと、判断した結果に基づいて、特典を付与することを決定するステップとを実行させるためのプログラムであり、前記地点情報を作成するステップにおいては、前記端末装置に対応する人物の属性に基づいて前記対象地点を決定する。
【００４０】
このように、端末装置の位置情報を取得する構成により、たとえば、スタンプラリーの参加者が対象地点において掲示されたＱＲコードの情報内容を取得しなくても、端末装置の位置情報に基づいて、端末装置の対象地点への到達状況を判断することができるので、スタンプラリーの主催者によるＱＲコードの掲示の手間を軽減することができる。したがって、簡易な処理で、対象地点への到達状況に対して特典を付与することができる。
【００４１】
さらに、このような構成により、端末装置に対応する人物すなわちユーザの属性とマッチする適切な対象地点を示す地点情報を作成して当該ユーザに通知することができる。
【００４２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４３】
＜第１の実施の形態＞
［構成および基本動作］
図１は、本発明の第１の実施の形態に係る情報処理システムの構成を示す図である。
【００４４】
図１を参照して、情報処理システム３０１は、車両１Ａ，１Ｂ，１Ｃと、情報処理装置１０１と、３つの端末装置１１１と、店舗端末装置１２１と、団体端末装置１３１と、３つの基地局１５１とを備える。
【００４５】
以下、車両１Ａ，１Ｂ，１Ｃの各々を、車両１とも称する。端末装置１１１は、車両１に搭載される。
【００４６】
図１では、３つの車両１を代表的に示しているが、さらに多数または少数の車両１が設けられてもよい。また、３つの端末装置１１１を代表的に示しているが、さらに多数または少数の端末装置１１１が設けられてもよい。また、１つの店舗端末装置１２１を代表的に示しているが、複数の店舗端末装置１２１が設けられてもよい。また、１つの団体端末装置１３１を代表的に示しているが、複数の団体端末装置１３１が設けられてもよい。また、３つの基地局１５１を代表的に示しているが、さらに多数または少数の基地局１５１が設けられてもよい。
【００４７】
車両１は、たとえばプローブ機能を有する自動車であり、停止および発進を繰り返しながら道路を走行する。車両１に搭載される端末装置１１１は、基地局１５１とたとえば無線通信を行うことにより、基地局１５１と情報の送受信を行う。
【００４８】
基地局１５１は、たとえば通信事業者が管理および運営を行う基地局である。基地局１５１は、たとえばインターネット１０を介して情報処理装置１０１と通信を行うことにより、情報処理装置１０１と情報の送受信を行う。たとえば、基地局１５１は、端末装置１１１から受信した情報を情報処理装置１０１または店舗端末装置１２１へ送信したり、情報処理装置１０１または店舗端末装置１２１から受信した情報を端末装置１１１へ送信したりする。
【００４９】
店舗端末装置１２１は、たとえば、特典、具体的にはクーポンを発行可能な店舗（以下、対象店舗とも称する。）に設けられた端末装置である。クーポンは、たとえば対象店舗において商品価格の値引き、またはサービスを受けるために用いられる。たとえば、店舗端末装置１２１は、インターネット１０を介して端末装置１１１および団体端末装置１３１と情報の送受信を行う。
【００５０】
団体端末装置１３１は、たとえば、ある地域の活性化を図ろうとしている地域団体が用いる端末装置である。たとえば、団体端末装置１３１は、インターネット１０を介して情報処理装置１０１および店舗端末装置１２１と情報の送受信を行う。
【００５１】
情報処理装置１０１は、たとえばサーバであり、インターネット１０を介して端末装置１１１、店舗端末装置１２１および団体端末装置１３１と情報の送受信を行う。
【００５２】
［動作］
情報処理システムにおける各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００５３】
図２は、本発明の第１の実施の形態に係る情報処理システムにおける、地域活性化サービスを提供するための情報処理のシーケンスの一例を示す図である。
【００５４】
図２を参照して、まず、団体端末装置１３１は、たとえば、地域活性化サービスを提供する情報処理装置１０１の利用についての登録依頼を示す登録情報を情報処理装置１０１へ送信する（ステップＳ１０２）。この際、団体端末装置１３１を用いる地域団体は、たとえば、情報処理装置１０１の管理者に登録料を支払う。情報処理装置１０１は、たとえば、団体端末装置１３１から登録情報を受信すると、当該団体端末装置１３１を登録する。
【００５５】
次に、店舗端末装置１２１は、たとえば、クーポンを配布するための依頼を示す特典配布依頼情報を団体端末装置１３１へ送信する（ステップＳ１０４）。この際、対象店舗の経営者（以下、対象経営者とも称する。）は、たとえば、地域団体に広告料を支払う。
【００５６】
次に、団体端末装置１３１は、たとえば、店舗端末装置１２１から特典配布依頼情報を受信すると、受信した特典配布依頼情報に基づいて、対象店舗、および当該対象店舗における店舗端末装置１２１が配布すべきクーポン（以下、対象クーポンとも称する。）を登録するための特典登録依頼情報を情報処理装置１０１へ送信する（ステップＳ１０６）。情報処理装置１０１は、たとえば、団体端末装置１３１から特典登録依頼情報を受信すると、受信した特典登録依頼情報に従って対象店舗および対象クーポンを登録する。
【００５７】
次に、たとえば対象の端末装置（以下、対象端末装置とも称する。）１１１が搭載された車両１のドライバ（以下、対象ドライバとも称する。）は、情報処理装置１０１が提供する地域活性化サービスを利用するために、自己の車両１のＩＤ（以下、対象車両ＩＤとも称する。）、および自己の属性を情報処理装置１０１に登録するための操作を対象端末装置１１１に対して行う。なお、当該属性の詳細については後述する。
【００５８】
対象端末装置１１１は、対象ドライバの操作に従って、対象車両ＩＤ、および対象ドライバの属性を含む、情報処理装置１０１の利用についての登録依頼を示す利用登録情報を情報処理装置１０１へ送信する（ステップＳ１０８）。
【００５９】
この際、対象ドライバは、たとえば、情報処理装置１０１の管理者に登録料を支払う。情報処理装置１０１は、たとえば、対象端末装置１１１から利用登録情報を受信すると、対象車両ＩＤおよび対象ドライバの属性を登録する。
【００６０】
次に、情報処理装置１０１および対象端末装置１１１間において、特典付与処理が行われる（ステップＳ１１０）。この際、対象端末装置１１１は、対象クーポンを示すクーポン情報を情報処理装置１０１から受信する。
【００６１】
次に、対象ドライバは、対象店舗のたとえばドライブスルーにおいて商品またはサービスの対価を支払う際、クーポン情報を店舗端末装置１２１へ送信するための操作を対象端末装置１１１に対して行う。対象端末装置１１１は、対象ドライバの操作に従って、クーポン情報を店舗端末装置１２１へ送信する（ステップＳ１１２）。
【００６２】
店舗端末装置１２１は、対象端末装置１１１からクーポン情報を受信すると、対象端末装置１１１からクーポン情報を受信した旨を対象経営者に通知する。対象経営者は、店舗端末装置１２１からの通知を受けて、上記対価の値引き等を行う。これにより、対象ドライバは、対価の支払いにおいて値引きを受けることができる。
【００６３】
なお、上記ステップＳ１０２、Ｓ１０４およびＳ１０６と、ステップＳ１０８との順番は、上記に限らず、順番を入れ替えてもよい。
【００６４】
［端末装置の構成］
図３は、本発明の第１の実施の形態に係る情報処理システムにおける端末装置の構成を示す図である。
【００６５】
図３を参照して、端末装置１１１は、受付部５１と、プローブ情報取得部５２と、処理部５５と、通信部５６と、表示制御部５７と、表示部５８と、車両状態検出部５９とを備える。端末装置１１１は、たとえば、車両１に搭載される車載装置である。
【００６６】
端末装置１１１における通信部５６は、基地局１５１とたとえば無線通信を行うことにより、基地局１５１と情報の送受信を行う。
【００６７】
車両状態検出部５９は、自己の端末装置１１１が搭載されている車両（以下、自己車両とも称する。）１の状態を監視し、自己車両１の始動を検知すると、検知信号をプローブ情報取得部５２および処理部５５へ出力する。また、車両状態検出部５９は、自己車両１が移動を開始すると、移動開始信号を処理部５５へ出力する。
【００６８】
プローブ情報取得部５２は、たとえば、自己の端末装置１１１の位置、および当該位置に対応する時刻を含むプローブ情報、言い換えると、自己の端末装置１１１の位置、および当該位置に自己の端末装置１１１が存在した時刻を含むプローブ情報を取得する。
【００６９】
具体的には、プローブ情報取得部５２は、たとえば、ＧＰＳ（Ｇｌｏｂａｌ  Ｐｏｓｉｔｉｏｎｉｎｇ  Ｓｙｓｔｅｍ）衛星から送信される電波を受信し、受信した電波に基づいて、自己車両１が存在する位置を示す車両座標を算出することが可能である。ここで、車両座標には、たとえば自己車両１の位置を示す緯度および経度が含まれる。
【００７０】
プローブ情報取得部５２は、車両状態検出部５９から検知信号を受けると、プローブ情報の作成を開始する。より詳細には、プローブ情報取得部５２は、たとえば、所定のサンプリングタイミングに従って車両座標を算出するとともに、当該車両座標を算出したタイミングを測定時刻として取得する。
【００７１】
すなわち、プローブ情報取得部５２は、車両座標および測定時刻を含むプローブ情報をサンプリングタイミングごとに作成する。ここで、サンプリングタイミングは、たとえば、所定の周期ごとであってもよいし、停止、発進、ウィンカーの点灯、発進から所定時間経過後および発進から所定距離走行後等のイベントごとであってもよい。
【００７２】
プローブ情報取得部５２は、プローブ情報を作成すると、作成したプローブ情報に自己車両１の識別子である車両ＩＤを含める。そして、プローブ情報取得部５２は、プローブ情報を、通信部５６および基地局１５１経由で情報処理装置１０１へ送信する。
【００７３】
受付部５１は、対象ドライバの操作を受け付ける。受付部５１は、たとえば、対象車両ＩＤおよび対象ドライバの属性を情報処理装置１０１に登録するための当該対象ドライバによる操作を受け付け、受け付けた内容を示す操作情報を処理部５５へ出力する。
【００７４】
ここで、当該属性は、たとえば、当該人物の嗜好、当該人物の年齢、当該人物の性別、当該人物の居住地、当該人物の職業、当該人物の家族構成および当該人物の乗車する車両の種類の少なくともいずれか１つを含む。ここでは、当該属性は、たとえば対象ドライバの嗜好である。
【００７５】
また、当該人物の乗車する車両の種類は、たとえば、バス、トラックまたは乗用車等の用途、ワゴン、セダンまたはスポーツカー等の形状、およびメーカまたはグレード等の等級である。
【００７６】
処理部５５は、受付部５１から操作情報を受けると、受けた操作情報に基づいて利用登録情報を作成し、作成した利用登録情報を通信部５６および基地局１５１経由で情報処理装置１０１へ送信する。
【００７７】
［情報処理装置の構成］
図４は、本発明の第１の実施の形態に係る情報処理システムにおける情報処理装置の構成を示す図である。
【００７８】
図４を参照して、情報処理装置１０１は、取得部２１と、判断部２２と、特典付与部２３と、地点決定部２４と、特典情報処理部２５と、記憶部２６と、履歴情報作成部２７と、登録処理部２８と、通知部２９とを備える。
【００７９】
取得部２１は、たとえば他の装置から情報を取得する。通知部２９は、たとえば、車両１に搭載された端末装置１１１へ基地局１５１経由で情報を通知する。
【００８０】
情報処理装置１０１における登録処理部２８は、たとえば、対象車両ＩＤ、対象ドライバの属性、団体端末装置１３１、対象クーポンおよび対象店舗を登録するための処理を行う。
【００８１】
具体的には、登録処理部２８は、たとえば、端末装置１１１から基地局１５１、インターネット１０および取得部２１経由で受信する利用登録情報に基づいて、対象車両ＩＤおよび対象ドライバの属性を記憶部２６に登録する。
【００８２】
また、登録処理部２８は、たとえば、団体端末装置１３１からインターネット１０および取得部２１経由で受信する登録情報に基づいて当該団体端末装置１３１を記憶部２６に登録する。
【００８３】
また、登録処理部２８は、たとえば、団体端末装置１３１からインターネット１０および取得部２１経由で受信する特典登録依頼情報に基づいて、対象店舗を記憶部２６に登録するとともに、属性、具体的には嗜好のカテゴリごとに対象クーポンを記憶部２６に登録する。ここで、登録処理部２８は、たとえば対象店舗の種類に基づいて嗜好のカテゴリを導出する。
【００８４】
［位置情報］
取得部２１は、端末装置１１１の位置情報を取得する。具体的には、取得部２１は、端末装置１１１から基地局１５１およびインターネット１０経由で受信するプローブ情報を位置情報として取得し、取得した位置情報を判断部２２および履歴情報作成部２７へ出力する。
【００８５】
［履歴情報］
履歴情報作成部２７は、たとえば、取得部２１から位置情報を受けると、受けた位置情報に基づいて、車両ＩＤごとの、端末装置１１１の位置、および当該位置に当該端末装置１１１が存在した時刻を示す移動履歴情報を作成し、作成した移動履歴情報を記憶部２６に保存する。
【００８６】
［地点情報］
図５は、本発明の第１の実施の形態に係る情報処理装置における地点決定部２４が作成するスタンプラリーマップの一例を示す図である。図６は、本発明の第１の実施の形態に係る情報処理装置における地点決定部２４が作成するスタンプラリーマップの他の例を示す図である。
【００８７】
図５および図６を参照して、地点決定部２４は、たとえば、対象地点を決定し、決定した対象地点および当該対象地点に端末装置１１１が到達すべき時間を示す地点情報を作成する。また、地点決定部２４は、たとえば、同じ特典、具体的には同じ対象クーポンに対して、異なる内容の地点情報を作成可能である。
【００８８】
具体的には、地点決定部２４は、地点情報として、たとえば、図５および図６にそれぞれ示すスタンプラリーマップＳＲＭ１およびＳＲＭ２を作成する。
【００８９】
ここで、対象地点は、たとえば、対象ドライバが対象クーポンを取得するために通過または滞留すべき地点である。また、スタンプラリーマップＳＲＭ１およびＳＲＭ２は、同じ対象クーポンＣｐａを取得するための地点情報である。
【００９０】
より詳細には、地点決定部２４は、スタンプラリーマップＳＲＭ１をたとえばアウトドア好きの対象ドライバ向けに作成する。また、地点決定部２４は、スタンプラリーマップＳＲＭ２をたとえば家電好きの対象ドライバ向けに作成する。
【００９１】
スタンプラリーマップには、対象地点として、１または複数の通過ポイントが含まれる。具体的には、スタンプラリーマップＳＲＭ１には、通過ポイントＰＰ１１〜ＰＰ１３が含まれる。また、スタンプラリーマップＳＲＭ２には、通過ポイントＰＰ２１〜ＰＰ２４が含まれる。
【００９２】
通過ポイントは、たとえば、小売店、飲食店または公園等のＰＯＩ（Ｐｏｉｎｔ  Ｏｆ  Ｉｎｔｅｒｅｓｔ）である。
【００９３】
地点決定部２４は、端末装置１１１に対応する人物の属性に基づいて対象地点を決定する。
【００９４】
具体的には、地点決定部２４は、たとえば、対象ドライバの嗜好が反映されるように、スタンプラリーマップに含まれる通過ポイントを設定する。
【００９５】
具体的には、地点決定部２４は、たとえば、アウトドア好きの対象ドライバの嗜好が反映されるように、スタンプラリーマップＳＲＭ１における通過ポイントＰＰ１１，ＰＰ１２，ＰＰ１３として、アウトドアショップ，公園，自然食のお店をそれぞれ設定する。
【００９６】
また、地点決定部２４は、たとえば、家電好きの対象ドライバの嗜好が反映されるように、スタンプラリーマップＳＲＭ２における通過ポイントＰＰ２１，ＰＰ２２，ＰＰ２３，ＰＰ２４として、町の電気屋，家電量販店，喫茶店，リサイクルショップをそれぞれ設定する。
【００９７】
また、地点決定部２４は、たとえば、対象ドライバによる通過ポイントの通過または滞留を行うべき時間（以下、指定時間とも称する。）を設定する。より詳細には、地点決定部２４は、たとえば当該通過ポイントの種類に応じて指定時間を設定する。
【００９８】
より詳細には、たとえば、通過ポイントが飲食店である場合、指定時間として食事の時間を設定する。
【００９９】
具体的には、地点決定部２４は、たとえば、通過ポイントＰＰ１３およびＰＰ２３のように、通過ポイントがそれぞれ自然食のお店および喫茶店である場合、指定時間として１８：００〜１９：００および１１：３０〜１３：３０を設定する。
【０１００】
これにより、対象ドライバが食事のために通過ポイントを利用する可能性を高めることができる。
【０１０１】
また、地点決定部２４は、たとえば、通過ポイントが小売店である場合、指定時間としてタイムセール等の時間を設定する。
【０１０２】
具体的には、地点決定部２４は、たとえば、通過ポイントＰＰ１１およびＰＰ２２のように、通過ポイントがそれぞれアウトドアショップおよび家電量販店である場合、指定時間として１５：００〜１７：００および１４：００〜１６：００を設定する。
【０１０３】
これにより、対象ドライバが通過ポイントのタイムセールにおいて商品を購入する可能性を高めることができる。
【０１０４】
地点決定部２４は、スタンプラリーマップＳＲＭ１およびＳＲＭ２のように、スタンプマップに含まれる各通過ポイントのうちの一部の通過ポイントに対して指定時間を設定する構成に限らず、スタンプマップに含まれる各通過ポイントのうちのすべての通過ポイントに対して指定時間を設定してもよいし、通過ポイントに対して指定時間を設定しなくてもよい。
【０１０５】
地点決定部２４は、作成したスタンプラリーマップＳＲＭ１およびＳＲＭ２を記憶部２６に保存する。
【０１０６】
［特典情報］
再び図４を参照して、特典情報処理部２５は、たとえば、対象地点に対応する特典、具体的には対象クーポンを示す特典情報を作成する。
【０１０７】
より詳細には、特典情報処理部２５は、たとえば、記憶部２６からスタンプラリーマップを取得し、取得したスタンプラリーマップに含まれる通過ポイントに対象クーポンを対応付ける。
【０１０８】
具体的には、特典情報処理部２５は、たとえば、図５に示すスタンプラリーマップＳＲＭ１に含まれる通過ポイントＰＰ１１，ＰＰ１２，ＰＰ１３のすべてに対して対象クーポンＣｐａを対応付ける。この場合、対象ドライバは、通過ポイントＰＰ１１，ＰＰ１２，ＰＰ１３のすべてに対して通過または滞留を行うと、対象クーポンＣｐａを取得することができる。
【０１０９】
また、特典情報処理部２５は、たとえば、図６に示すスタンプラリーマップＳＲＭ２に含まれる通過ポイントＰＰ２１，ＰＰ２２，ＰＰ２３，ＰＰ２４のすべてに対して対象クーポンＣｐａを対応付ける。この場合、対象ドライバは、通過ポイントＰＰ２１，ＰＰ２２，ＰＰ２３，ＰＰ２４のすべてに対して通過または滞留を行うと、対象クーポンＣｐａを取得することができる。
【０１１０】
特典情報処理部２５は、たとえば、対象端末装置１１１の移動履歴に基づいて特典情報の内容を決定する。また、特典情報処理部２５は、たとえば、特典情報の示す特典の利用先として、自己の情報処理装置１０１に登録された店舗を決定する。
【０１１１】
具体的には、特典情報処理部２５は、たとえば、記憶部２６から移動履歴情報を取得し、取得した移動履歴情報に基づいて特典情報の内容を決定する。
【０１１２】
より詳細には、特典情報処理部２５は、たとえば、移動履歴情報に基づいて、対象端末装置１１１が移動した経路を導出する。そして、特典情報処理部２５は、導出した経路、および地図に基づいて、対象端末装置１１１が通過または滞留した対象店舗を特定し、特定した対象店舗の種類に基づいて対象ドライバの属性、具体的には嗜好を導出する。
【０１１３】
そして、特典情報処理部２５は、たとえば、記憶部２６において嗜好のカテゴリごとに登録されている対象クーポンの中から、導出した対象ドライバの嗜好に合った対象クーポンを特定する。
【０１１４】
また、特典情報処理部２５は、たとえば、記憶部２６に登録されている対象ドライバの嗜好に対して、導出した対象ドライバの嗜好を追加したり、更新したりする。
【０１１５】
特典情報処理部２５は、たとえば、特定した対象クーポンを示す特典情報を作成し、作成した特典情報を通知部２９へ出力する。
【０１１６】
通知部２９は、たとえば、特典情報処理部２５から受ける特典情報を対象端末装置１１１に通知する。
【０１１７】
一方、特典情報処理部２５は、たとえば、対象ドライバの嗜好に合った対象クーポンを特定できない場合、登録処理部２８により登録される新たな対象クーポンを監視する。特典情報処理部２５は、たとえば、対象ドライバの嗜好に合う対象クーポンが登録されると、登録された新たな対象クーポンを示す特典情報を作成して対象端末装置１１１に通知部２９経由で通知する。
【０１１８】
また、特典情報処理部２５は、対象クーポンとスタンプラリーマップとの対応関係を示す対応情報を作成し、作成した対応情報を記憶部２６に保存する。
【０１１９】
具体的には、特典情報処理部２５は、たとえば、対象クーポンＣｐａとスタンプラリーマップＳＲＭ１およびＳＲＭ２との対応関係を示す対応情報を作成し、作成した対応情報を記憶部２６に保存する。
【０１２０】
［選択結果情報］
再び図３を参照して、対象端末装置１１１における通信部５６は、情報処理装置１０１から特典情報を受信すると、受信した特典情報を表示制御部５７へ出力する。
【０１２１】
表示制御部５７は、通信部５６によって受信された情報の内容を表示する制御を行う。具体的には、表示制御部５７は、通信部５６から特典情報を受けると、受けた特典情報の内容を表示部５８から画像として出力させる制御を行う。
【０１２２】
対象ドライバは、表示部５８に出力された画像を見ながら、対象クーポンを選択する操作を受付部５１に対して行う。ここでは、対象ドライバは、たとえば対象クーポンＣｐａを選択する操作を受付部５１に対して行う。
【０１２３】
受付部５１は、対象ドライバによる操作を受け付け、受け付けた内容を示す操作情報を処理部５５へ出力する。
【０１２４】
処理部５５は、受付部５１から操作情報を受けると、受けた操作情報に基づいて対象ドライバによる対象クーポンＣｐａの選択結果を示す選択結果情報を作成し、作成した選択結果情報を通信部５６および基地局１５１経由で情報処理装置１０１へ送信する。
【０１２５】
［地点情報Ｓ１］
再び図４を参照して、情報処理装置１０１における取得部２１は、対象端末装置１１１から選択結果情報を受信すると、受信した選択結果情報を地点決定部２４へ出力する。
【０１２６】
地点決定部２４は、取得部２１から選択結果情報を受けると、受けた選択結果情報に基づいて、対象ドライバが選択した対象クーポンＣｐａを認識する。
【０１２７】
そして、地点決定部２４は、対応情報を記憶部２６から取得し、取得した対応情報に基づいて、認識した対象クーポンＣｐａに対応するスタンプラリーマップを特定する。
【０１２８】
具体的には、地点決定部２４は、たとえば、対応情報に基づいて、対象クーポンＣｐａに対応するスタンプラリーマップとしてスタンプラリーマップＳＲＭ１，ＳＲＭ２を特定する。
【０１２９】
そして、地点決定部２４は、特定したスタンプラリーマップＳＲＭ１，ＳＲＭ２のうち、たとえば、記憶部２６に登録されている対象ドライバの嗜好に基づいて、当該対象ドライバの嗜好に合うスタンプラリーマップを選択する。ここでは、地点決定部２４は、たとえばスタンプラリーマップＳＲＭ１を記憶部２６から選択する。地点決定部２４は、選択したスタンプラリーマップＳＲＭ１を記憶部２６から取得する。
【０１３０】
地点決定部２４は、たとえば、地点情報を対象端末装置１１１に通知部２９経由で通知する。より詳細には、地点決定部２４は、記憶部２６から取得したスタンプラリーマップＳＲＭ１を示す地点情報Ｓ１を作成し、作成した地点情報Ｓ１を通知部２９へ出力する。
【０１３１】
通知部２９は、地点決定部２４によって作成された地点情報Ｓ１を端末装置１１１に通知する。具体的には、通知部２９は、地点決定部２４から地点情報Ｓ１を受けると、受けた地点情報Ｓ１を対象端末装置１１１へ通知する。
【０１３２】
また、地点決定部２４は、地点情報Ｓ１および対応情報を判断部２２および特典付与部２３へ出力する。
【０１３３】
再び図３を参照して、対象端末装置１１１における通信部５６は、情報処理装置１０１から地点情報Ｓ１を受信すると、受信した地点情報Ｓ１を表示制御部５７へ出力する。
【０１３４】
表示制御部５７は、通信部５６から地点情報Ｓ１を受けると、受けた地点情報Ｓ１の内容、具体的には図５に示すスタンプラリーマップＳＲＭ１を表示部５８から画像として出力させる制御を行う。
【０１３５】
対象ドライバは、たとえば、表示部５８に出力された画像の内容すなわちスタンプラリーマップＳＲＭ１の内容に従って対象車両１を運転する。
【０１３６】
［到達情報］
再び図４を参照して、情報処理装置１０１における判断部２２は、取得部２１によって取得された位置情報に基づいて、対象端末装置１１１の対象地点への到達状況を判断する。
【０１３７】
具体的には、判断部２２は、たとえば、地点決定部２４から受ける地点情報Ｓ１および対応情報に基づいて、対象ドライバが対象クーポンＣｐａを取得するために通過または滞留を行うべき通過ポイントが、スタンプラリーマップＳＲＭ１に含まれる通過ポイントＰＰ１１，ＰＰ１２，ＰＰ１３であることを認識する。
【０１３８】
判断部２２は、たとえば、取得部２１から受ける位置情報に基づいてスタンプラリーマップＳＲＭ１における対象端末装置１１１の位置を監視する。
【０１３９】
たとえば、判断部２２は、対象端末装置１１１が通過ポイントに到達するごとに、到達条件が満たされたか否かを判断し、判断結果を示す到達情報を作成する。判断部２２は、作成した到達情報を対象端末装置１１１へ通知部２９経由で通知するとともに特典付与部２３へ出力する。
【０１４０】
より詳細には、判断部２２は、たとえば、対象端末装置１１１が通過ポイントＰＰ１１〜ＰＰ１３のいずれか１つに到達するごとに、到達条件が満たされたか否かを判断する。
【０１４１】
ここで、到達条件は、たとえば、通過ポイントＰＰ１１，ＰＰ１３のように、通過ポイントに指定時間が設定されている場合、当該指定時間において対象端末装置１１１が通過ポイントに到達し、かつ通過ポイントにおいて所定時間滞留したか否かである。
【０１４２】
また、到達条件は、たとえば、通過ポイントＰＰ１２のように、通過ポイントに指定時間が設定されていない場合、対象端末装置１１１が通過ポイントにおいて所定時間滞留したか否かである。
【０１４３】
たとえば、判断部２２は、対象端末装置１１１が通過ポイントＰＰ１１に到達すると、到達条件が満たされたか否かを判断する。
【０１４４】
この際、判断部２２は、たとえば、指定時間である１５：００〜１７：００において対象端末装置１１１が通過ポイントＰＰ１１に到達しかつ所定時間滞留したことを確認すると、通過ポイントＰＰ１１についての到達条件が満たされたと判断する。そして、判断部２２は、判断結果を示す到達情報を作成し、作成した到達情報を対象端末装置１１１へ通知部２９経由で通知するとともに特典付与部２３へ出力する。
【０１４５】
図７は、本発明の第１の実施の形態に係る端末装置における表示部が表示するスタンプラリーマップの一例を示す図である。
【０１４６】
図３および図７を参照して、対象端末装置１１１における通信部５６は、情報処理装置１０１から到達情報を受信すると、受信した到達情報を表示制御部５７へ出力する。
【０１４７】
表示制御部５７は、通信部５６から到達情報を受けると、受けた到達情報の内容を表示部５８から画像として出力させる制御を行う。ここで、表示部５８から出力される画像は、たとえば図７に示すスタンプラリーマップＳＲＭ３である。
【０１４８】
スタンプラリーマップＳＲＭ３では、図５に示すスタンプラリーマップＳＲＭ１と比べて、対象ドライバが通過ポイントＰＰ１１に到達しかつ所定時間滞留したことを示す、Ｓｔｒ１が付された「Ｃｌｅａｒ！」の文字列、および点線の丸で表されたシンボルＳｙｍ１が、通過ポイントＰＰ１１を示すアイコンの周囲に追加されている。
【０１４９】
［クーポン情報］
再び図４を参照して、情報処理装置１０１における特典付与部２３は、判断部２２による判断結果に基づいて、到達状況に対して付与すべき特典を決定する。
【０１５０】
具体的には、特典付与部２３は、たとえば、地点決定部２４から受ける地点情報Ｓ１および対応情報に基づいて、対象ドライバが対象クーポンＣｐａを取得するために通過または滞留を行うべき通過ポイントが、スタンプラリーマップＳＲＭ１に含まれる通過ポイントＰＰ１１，ＰＰ１２，ＰＰ１３であることを認識する。
【０１５１】
特典付与部２３は、たとえば、判断部２２から受ける到達情報に基づいて、通過ポイントＰＰ１１，ＰＰ１２，ＰＰ１３のすべてについて到達条件が満たされたか否かを判断する。
【０１５２】
特典付与部２３は、たとえば、通過ポイントＰＰ１１，ＰＰ１２，ＰＰ１３のすべてについて到達条件が満たされたと判断すると、到達状況に対して付与すべき特典として対象クーポンＣｐａを決定する。そして、特典付与部２３は、対象クーポンＣｐａを示すクーポン情報を作成し、作成したクーポン情報を対象端末装置１１１へ通知部２９経由で通知する。
【０１５３】
［動作］
図８は、本発明の第１の実施の形態に係る情報処理システムにおける、特典付与処理のシーケンスの一例を示す図である。図８は、図２のステップＳ１１０における動作の詳細を示している。
【０１５４】
図８を参照して、情報処理装置１０１は、端末装置１１１に対応する人物の属性に基づいて対象地点を決定し、決定した対象地点および当該対象地点に端末装置１１１が到達すべき時間を示す地点情報を作成する地点情報作成処理を行う（ステップＳ２０２）。
【０１５５】
次に、情報処理装置１０１は、たとえば、対象地点に対応する特典、具体的には対象クーポンを示す特典情報を作成する特典情報作成処理を行う（ステップＳ２０４）。
【０１５６】
次に、情報処理装置１０１は、作成した特典情報を対象端末装置１１１へ送信する（ステップＳ２０６）。
【０１５７】
次に、対象端末装置１１１は、情報処理装置１０１から特典情報を受信すると、受信した特典情報の内容を表示部５８から画像として出力させる制御を行う（ステップＳ２０８）。対象ドライバは、表示部５８に出力された画像を見ながら、たとえば対象クーポンＣｐａを選択する。
【０１５８】
次に、対象端末装置１１１は、対象ドライバによる対象クーポンＣｐａの選択結果を示す選択結果情報を作成し、作成した選択結果情報を情報処理装置１０１へ送信する（ステップＳ２１０）。
【０１５９】
次に、情報処理装置１０１は、対象端末装置１１１から選択結果情報を受信すると、受信した選択結果情報に基づいて、対象ドライバが選択した対象クーポンＣｐａを認識する。情報処理装置１０１は、対応情報に基づいて、認識した対象クーポンＣｐａに対応するスタンプラリーマップとしてたとえばスタンプラリーマップＳＲＭ１，ＳＲＭ２を特定する。情報処理装置１０１は、特定したスタンプラリーマップＳＲＭ１，ＳＲＭ２のうち、対象ドライバの嗜好に合うスタンプラリーマップとしてたとえばスタンプラリーマップＳＲＭ１を選択して記憶部２６から取得する（ステップＳ２１２）。
【０１６０】
次に、情報処理装置１０１は、取得したスタンプラリーマップＳＲＭ１を示す地点情報Ｓ１を作成し、作成した地点情報Ｓ１を対象端末装置１１１へ送信する（ステップＳ２１４）。対象端末装置１１１は、情報処理装置１０１から地点情報Ｓ１を受信すると、受信した地点情報Ｓ１の内容すなわちスタンプラリーマップＳＲＭ１を表示部５８から画像として出力させる制御を行う。
【０１６１】
次に、対象ドライバが表示部５８に出力されたスタンプラリーマップＳＲＭ１の内容に従って対象車両１を運転することにより、対象端末装置１１１は、プローブ情報を情報処理装置１０１へ送信しながら位置を変える（ステップＳ２１６）。
【０１６２】
次に、情報処理装置１０１は、対象端末装置１１１からプローブ情報を位置情報として受信すると、受信した位置情報に基づいて、対象端末装置１１１の対象地点への到達状況を判断する（ステップＳ２１８）。具体的には、判断部２２は、対象端末装置１１１が通過ポイントに到達するごとに、到達条件が満たされたか否かを判断する。
【０１６３】
次に、情報処理装置１０１は、到達条件が満たされたか否かを判断するごとに、判断結果を示す到達情報を対象端末装置１１１へ送信する（ステップＳ２２０）。
【０１６４】
次に、対象端末装置１１１は、情報処理装置１０１から到達情報を受信すると、受信した到達情報の内容を表示部５８から画像として出力させる制御を行う（ステップＳ２２２）。対象ドライバは、表示部５８に出力された画像を見ながら、対象地点への到達状況を認識する。
【０１６５】
次に、情報処理装置１０１は、対象端末装置１１１の対象地点への到達状況の判断結果に基づいて、到達状況に対して付与すべき特典を決定する（ステップＳ２２４）。具体的には、情報処理装置１０１は、通過ポイントＰＰ１１，ＰＰ１２，ＰＰ１３のすべてについて到達条件が満たされたと判断すると、到達状況に対して付与すべき特典として対象クーポンＣｐａを決定する。
【０１６６】
次に、情報処理装置１０１は、決定した対象クーポンＣｐａを示すクーポン情報を作成し、作成したクーポン情報を対象端末装置１１１へ送信する（ステップＳ２２６）。
【０１６７】
なお、情報処理装置１０１は、上記ステップＳ２２４において、通過ポイントＰＰ１１，ＰＰ１２，ＰＰ１３の一部について到達条件が満たされたと判断すると、到達状況に対して付与すべき特典として対象クーポンを決定してもよい。
【０１６８】
具体的には、情報処理装置１０１は、たとえば、到達条件が満たされた通過ポイントの個数に応じて対象クーポンのグレードを変更する。ここで、対象クーポンのグレードは、たとえば、対象店舗における商品価格の値引き率、または対象店舗において受けることができるサービスの質等である。
【０１６９】
より詳細には、情報処理装置１０１は、到達条件が満たされた通過ポイントの個数が多いほど対象クーポンのグレードを上げる。
【０１７０】
また、本発明の第１の実施の形態に係る情報処理装置では、取得部２１は、車両座標および測定時刻を含むプローブ情報を位置情報として端末装置１１１から取得する構成であるとしたが、これに限定するものではない。取得部２１は、たとえば車両座標を含むプローブ情報を位置情報として取得する構成であればよい。
【０１７１】
また、本発明の第１の実施の形態に係る情報処理装置では、地点決定部２４は、対象地点および当該対象地点に端末装置１１１が到達すべき時間を示す地点情報を作成する構成であるとしたが、これに限定するものではない。地点決定部２４は、対象地点を示す地点情報を作成する構成であればよい。
【０１７２】
また、本発明の第１の実施の形態に係る情報処理装置では、地点決定部２４が決定した対象地点が対象店舗と異なってもよいし、一致してもよい。
【０１７３】
また、本発明の第１の実施の形態に係る端末装置は、車載装置である構成であるとしたが、これに限定するものではなく、たとえばスマートホンのような無線端末装置であってもよい。
【０１７４】
また、本発明の第１の実施の形態に係る情報処理装置の機能の一部または全部が、クラウドコンピューティングによって提供されてもよい。すなわち、本発明の第１の実施の形態に係る情報処理装置が、複数のクラウドサーバ等によって構成されてもよい。
【０１７５】
また、本発明の第１の実施の形態に係る情報処理装置では、特典付与部２３は、判断部２２による判断結果に基づいて、到達状況に対して付与すべき特典を決定する構成であるとしたが、これに限定するものではない。特典付与部２３は、判断部２２による判断結果に基づいて、特典を付与することを決定する構成であればよい。具体的には、特典付与部２３は、たとえば、対象地点に端末装置１１１が到達した場合において、予め決まっている特典を対象ドライバに付与することを決定する。
【０１７６】
また、本発明の第１の実施の形態に係る情報処理装置では、地点決定部２４は、対象地点を決定し、決定した対象地点および当該対象地点に端末装置１１１が到達すべき時間を示す地点情報を作成する構成であるとしたが、これに限定するものではない。地点決定部２４は、対象地点を決定し、決定した対象地点を示す地点情報を作成する構成であればよい。
【０１７７】
また、本発明の第１の実施の形態に係る情報処理装置では、属性は、当該人物の嗜好を含むとしたが、これに限定するものではない。属性は、人物の嗜好、人物の年齢、人物の性別、人物の居住地、人物の職業、人物の家族構成および人物の乗車する車両の種類の少なくともいずれか１つを含んでいればよい。
【０１７８】
ところで、たとえば、ＱＲコードを用いてスタンプラリーが電子的に行われる場合がある。より詳細には、たとえば、スタンプラリーの主催者は、掲示場所においてＱＲコードを掲示する。スタンプラリーの参加者は、掲示場所に到達すると、ＱＲコード対応のカメラ付き携帯電話を用いて、掲示されたＱＲコードの情報内容を取得する。携帯電話により取得された情報内容は、掲示場所に参加者が到達したか否かの判断に用いられる。参加者は、到達した掲示場所の個数または種類等に応じて特典を受けることができる。
【０１７９】
しかしながら、このようなスタンプラリーを行う場合、主催者は掲示場所においてＱＲコードを掲示する必要があるため、手間がかかるという問題がある。
【０１８０】
これに対して、本発明の第１の実施の形態に係る情報処理装置では、地点決定部２４は、対象地点を決定し、決定した対象地点を示す地点情報を作成する。通知部２９は、地点決定部２４によって作成された地点情報を端末装置１１１に通知する。取得部２１は、端末装置１１１の位置情報を取得する。判断部２２は、取得部２１によって取得された位置情報に基づいて、端末装置１１１の対象地点への到達状況を判断する。特典付与部２３は、判断部２２による判断結果に基づいて、特典を付与することを決定する。そして、地点決定部２４は、端末装置１１１に対応する人物の属性に基づいて対象地点を決定する。
【０１８１】
このように、端末装置１１１の位置情報を取得する構成により、たとえば、スタンプラリーの参加者が対象地点において掲示されたＱＲコードの情報内容を取得しなくても、端末装置１１１の位置情報に基づいて、端末装置１１１の対象地点への到達状況を判断することができるので、スタンプラリーの主催者によるＱＲコードの掲示の手間を軽減することができる。したがって、簡易な処理で、対象地点への到達状況に対して特典を付与することができる。
【０１８２】
さらに、このような構成により、端末装置１１１に対応する人物すなわちユーザの属性とマッチする適切な対象地点を示す地点情報を作成して当該ユーザに通知することができる。
【０１８３】
また、本発明の第１の実施の形態に係る情報処理装置では、地点決定部２４は、同じ特典に対して異なる内容の地点情報を作成可能である。
【０１８４】
このような構成により、複数のユーザに対して同じ特典で異なる内容の地点情報を通知することができるので、対象地点がユーザの属性、具体的には嗜好にマッチする可能性を高めることができる。これにより、ユーザが対象地点へ訪問しようとする意欲を高めることができるので、ユーザを対象地点に効率よく誘導することができる。また、ユーザは、自己の嗜好にマッチする対象地点を訪問して特典を取得することができるので、ユーザの満足度を高めることができる。
【０１８５】
また、本発明の第１の実施の形態に係る情報処理装置では、属性は、当該人物の嗜好、当該人物の年齢、当該人物の性別、当該人物の居住地、当該人物の職業、当該人物の家族構成および当該人物の乗車する車両の種類の少なくともいずれか１つを含む。
【０１８６】
このような構成により、端末装置１１１に対応する人物すなわちユーザの属性をより正しく認識することができるので、より適切な対象地点を示す地点情報を作成して当該ユーザに通知することができる。
【０１８７】
また、本発明の第１の実施の形態に係る情報処理装置では、地点決定部２４は、対象地点を決定し、決定した対象地点および当該対象地点に端末装置１１１が到達すべき時間を示す地点情報を作成する。
【０１８８】
このような構成により、端末装置１１１のユーザを、より効果的な時間に対象地点へ誘導することができる。
【０１８９】
また、本発明の第１の実施の形態に係る情報処理装置では、特典情報処理部２５は、対象地点に対応する特典を示す特典情報を作成する。通知部２９は、特典情報処理部２５によって作成された特典情報を端末装置１１１に通知する。そして、特典情報処理部２５は、端末装置１１１の移動履歴に基づいて特典情報の内容を決定する。
【０１９０】
このような構成により、端末装置１１１の移動履歴に基づいてたとえば端末装置１１１のユーザの属性を取得することができるので、取得した属性にマッチする特典を当該ユーザに提示することができる。
【０１９１】
また、本発明の第１の実施の形態に係る情報処理装置では、特典の利用先は、情報処理装置１０１に登録された店舗である。
【０１９２】
このような構成により、当該店舗は、端末装置１１１のユーザを効率よく集客することができる。
【０１９３】
また、本発明の第１の実施の形態に係る情報処理システムでは、情報処理装置１０１は、対象地点を決定し、決定した対象地点を示す地点情報を作成し、作成した地点情報を端末装置１１１に通知する。端末装置１１１は、当該端末装置１１１の位置情報を取得する。情報処理装置１０１は、取得した位置情報に基づいて、端末装置１１１の対象地点への到達状況を判断する。情報処理装置１０１は、判断した結果に基づいて、特典を付与することを決定する。そして、情報処理装置１０１は、端末装置１１１に対応する人物の属性に基づいて対象地点を決定する。
【０１９４】
このように、端末装置１１１の位置情報を取得する構成により、たとえば、スタンプラリーの参加者が対象地点において掲示されたＱＲコードの情報内容を取得しなくても、端末装置１１１の位置情報に基づいて、端末装置１１１の対象地点への到達状況を判断することができるので、スタンプラリーの主催者によるＱＲコードの掲示の手間を軽減することができる。したがって、簡易な処理で、対象地点への到達状況に対して特典を付与することができる。
【０１９５】
さらに、このような構成により、端末装置１１１に対応する人物すなわちユーザの属性とマッチする適切な対象地点を示す地点情報を作成して当該ユーザに通知することができる。
【０１９６】
次に、本発明の他の実施の形態について図面を用いて説明する。なお、図中同一または相当部分には同一符号を付してその説明は繰り返さない。
【０１９７】
＜第２の実施の形態＞
本実施の形態は、第１の実施の形態に係る情報処理システムと比べて端末装置において特典付与の決定処理が行われる情報処理システムに関する。以下で説明する内容以外は第１の実施の形態に係る情報処理システムと同様である。
【０１９８】
［構成および基本動作］
図９は、本発明の第２の実施の形態に係る情報処理システムの構成を示す図である。
【０１９９】
図９を参照して、情報処理システム３０２は、車両１Ａ，１Ｂ，１Ｃと、サーバ（情報処理装置）１０２と、３つの端末装置１１２と、店舗端末装置１２１と、団体端末装置１３１と、３つの基地局１５１とを備える。
【０２００】
図９では、３つの車両１を代表的に示しているが、さらに多数または少数の車両１が設けられてもよい。また、３つの端末装置１１２を代表的に示しているが、さらに多数または少数の端末装置１１２が設けられてもよい。また、１つの店舗端末装置１２１を代表的に示しているが、複数の店舗端末装置１２１が設けられてもよい。また、１つの団体端末装置１３１を代表的に示しているが、複数の団体端末装置１３１が設けられてもよい。また、３つの基地局１５１を代表的に示しているが、さらに多数または少数の基地局１５１が設けられてもよい。
【０２０１】
情報処理システム３０２における車両１、店舗端末装置１２１、団体端末装置１３１および基地局１５１の動作は、図１に示す情報処理システム３０１における車両１、店舗端末装置１２１、団体端末装置１３１および基地局１５１とそれぞれ同様である。
【０２０２】
［端末装置の構成］
図１０は、本発明の第２の実施の形態に係る情報処理システムにおける端末装置の構成を示す図である。
【０２０３】
図１０を参照して、端末装置１１２は、図３に示す端末装置１１１と比べて、プローブ情報取得部５２および車両状態検出部５９の代わりに、位置情報取得部６１、判断部６２および特典付与部６３を備える。
【０２０４】
端末装置１１２は、たとえば、スマートホン等の無線端末装置である。たとえば、車両１を運転するドライバは、端末装置１１２を携帯する。
【０２０５】
［動作］
図１１は、本発明の第２の実施の形態に係る情報処理システムにおける、地域活性化サービスを提供するための情報処理のシーケンスの一例を示す図である。
【０２０６】
図１１を参照して、まず、団体端末装置１３１は、たとえば、地域活性化サービスを提供するサーバ１０２の利用についての登録依頼を示す登録情報をサーバ１０２へ送信する（ステップＳ３０２）。この際、団体端末装置１３１を用いる地域団体は、たとえば、サーバ１０２の管理者に登録料を支払う。サーバ１０２は、たとえば、団体端末装置１３１から登録情報を受信すると、当該団体端末装置１３１を登録する。
【０２０７】
次に、店舗端末装置１２１は、たとえば、クーポンを配布するための依頼を示す特典配布依頼情報を団体端末装置１３１へ送信する（ステップＳ３０４）。この際、対象経営者は、たとえば、地域団体に広告料を支払う。
【０２０８】
次に、団体端末装置１３１は、たとえば、店舗端末装置１２１から特典配布依頼情報を受信すると、受信した特典配布依頼情報に基づいて、対象店舗および対象クーポンを登録するための特典登録依頼情報をサーバ１０２へ送信する（ステップＳ３０６）。サーバ１０２は、たとえば、団体端末装置１３１から特典登録依頼情報を受信すると、受信した特典登録依頼情報に応じて対象店舗および対象クーポンを登録する。
【０２０９】
次に、対象ドライバは、サーバ１０２が提供する地域活性化サービスを利用するために、対象車両ＩＤおよび自己の属性をサーバ１０２に登録するための操作を対象端末装置１１２に対して行う。
【０２１０】
対象端末装置１１２は、対象ドライバの操作に従って、対象車両ＩＤ、および対象ドライバの属性を含む、サーバ１０２の利用についての登録依頼を示す利用登録情報をサーバ１０２へ送信する（ステップＳ３０８）。
【０２１１】
この際、対象ドライバは、たとえば、サーバ１０２の管理者に登録料を支払う。サーバ１０２は、たとえば、対象端末装置１１２から利用登録情報を受信すると、対象車両ＩＤおよび対象ドライバの属性を登録する。
【０２１２】
次に、サーバ１０２は、端末装置１１１に対応する人物の属性に基づいて対象地点を決定し、決定した対象地点および当該対象地点に端末装置１１２が到達すべき時間を示す地点情報を作成する地点情報作成処理を行う（ステップＳ３１０）。
【０２１３】
次に、サーバ１０２は、たとえば、対象地点に対応する特典、具体的には対象クーポンを示す特典情報を作成する特典情報作成処理を行う（ステップＳ３１２）。
【０２１４】
次に、サーバ１０２は、作成した特典情報を対象端末装置１１２へ送信する（ステップＳ３１４）。
【０２１５】
次に、対象端末装置１１２は、サーバ１０２から特典情報を受信すると、受信した特典情報の内容を表示部５８から画像として出力させる制御を行う（ステップＳ３１６）。対象ドライバは、表示部５８に出力された画像を見ながら、たとえば対象クーポンＣｐａを選択する。
【０２１６】
次に、対象端末装置１１２は、対象ドライバによる対象クーポンＣｐａの選択結果を示す選択結果情報を作成し、作成した選択結果情報をサーバ１０２へ送信する（ステップＳ３１８）。
【０２１７】
次に、サーバ１０２は、対象端末装置１１２から選択結果情報を受信すると、受信した選択結果情報に基づいて、対象ドライバが選択した対象クーポンＣｐａを認識する。サーバ１０２は、対応情報に基づいて、認識した対象クーポンＣｐａに対応するスタンプラリーマップとしてたとえばスタンプラリーマップＳＲＭ１，ＳＲＭ２を特定する。サーバ１０２は、特定したスタンプラリーマップＳＲＭ１，ＳＲＭ２のうち、対象ドライバの属性、具体的には嗜好に合うスタンプラリーマップとしてたとえばスタンプラリーマップＳＲＭ１を選択して取得する（ステップＳ３２０）。
【０２１８】
次に、サーバ１０２は、取得したスタンプラリーマップＳＲＭ１を示す地点情報Ｓ１を作成し、作成した地点情報Ｓ１と、地点情報Ｓ１を用いて対象クーポン取得するためのアプリケーションとを含むアプリケーション情報を作成する。サーバ１０２は、作成したアプリケーション情報を対象端末装置１１２へ送信する（ステップＳ３２２）。対象端末装置１１２は、サーバ１０２からアプリケーション情報を受信すると、受信したアプリケーション情報に含まれるアプリケーションを実行する。
【０２１９】
次に、対象端末装置１１２は、自己の位置を示す位置情報を取得する（ステップＳ３２４）。
【０２２０】
次に、対象端末装置１１２は、取得した位置情報に基づいて、対象地点への自己の到達状況を判断する（ステップＳ３２６）。ここでは、対象端末装置１１２は、対象地点、具体的にはスタンプラリーマップＳＲＭ１に含まれる通過ポイントＰＰ１１，ＰＰ１２，ＰＰ１３のすべてについて到達条件が満たされたと判断する。
【０２２１】
次に、対象端末装置１１２は、自己の対象地点への到達状況の判断結果に基づいて、到達状況に対して付与すべき特典を決定する（ステップＳ３２８）。ここでは、サーバ１０２は、到達状況に対して付与すべき特典として対象クーポンＣｐａを決定する。
【０２２２】
次に、対象端末装置１１２は、決定結果を示す決定結果情報を作成し、作成した決定結果情報をサーバ１０２へ送信する（ステップＳ３３０）。
【０２２３】
次に、サーバ１０２は、対象端末装置１１２から決定結果情報を受信すると、受信した決定結果情報に基づいて、対象端末装置１１２に対して対象クーポンＣｐａを与えるべきと判断する。そして、サーバ１０２は、対象クーポンＣｐａを示すクーポン情報を作成し、作成したクーポン情報を対象端末装置１１２へ送信する（ステップＳ３３２）。
【０２２４】
次に、対象ドライバは、対象店舗たとえば百貨店において商品またはサービスの対価を支払う際、クーポン情報を店舗端末装置１２１へ送信するための操作を対象端末装置１１２に対して行う。対象端末装置１１２は、対象ドライバの操作に従って、クーポン情報を店舗端末装置１２１へ送信する（ステップＳ３３４）。
【０２２５】
店舗端末装置１２１は、対象端末装置１１２からクーポン情報を受信すると、対象端末装置１１２からクーポン情報を受信した旨を対象経営者に通知する。対象経営者は、店舗端末装置１２１からの通知を受けて、上記対価の値引き等を行う。これにより、対象ドライバは、対価の支払いにおいて値引きを受けることができる。
【０２２６】
なお、上記ステップＳ３０２、Ｓ３０４およびＳ３０６と、ステップＳ３０８との順番は、上記に限らず、順番を入れ替えてもよい。
【０２２７】
再び図１０を参照して、端末装置１１２における位置情報取得部６１は、自己の端末装置１１２の位置を示す位置情報を取得する。
【０２２８】
具体的には、位置情報取得部６１は、たとえば、ＧＰＳ衛星から送信される電波を受信し、受信した電波に基づいて、自己の端末装置１１２が存在する位置を示す端末座標を算出する。ここで、端末座標には、たとえば当該端末装置１１２の位置を示す緯度および経度が含まれる。
【０２２９】
位置情報取得部６１は、算出した端末座標を含む位置情報を作成し、作成した位置情報を判断部６２へ出力する。
【０２３０】
通信部５６は、たとえば、サーバ１０２からアプリケーション情報を基地局１５１経由で受信すると、受信したアプリケーション情報を処理部５５へ出力するとともに、アプリケーション情報に含まれる地点情報Ｓ１を表示制御部５７へ出力する。
【０２３１】
処理部５５は、通信部５６からアプリケーション情報を受けると、受けたアプリケーション情報から地点情報Ｓ１およびアプリケーションを取得し、取得したアプリケーションを実行することにより自己の端末装置１１２を動作させる。
【０２３２】
具体的には、処理部５５は、アプリケーションの内容に従って、たとえば、地点情報Ｓ１および判断命令を判断部６２へ出力するとともに、地点情報Ｓ１および決定命令を特典付与部６３へ出力する。
【０２３３】
判断部６２は、位置情報取得部６１によって取得された位置情報に基づいて、自己の端末装置１１２の対象地点への到達状況を判断する。
【０２３４】
より詳細には、判断部６２は、処理部５５から地点情報Ｓ１および判断命令を受けると、判断処理を開始する。
【０２３５】
判断部６２は、処理部５５から受けた地点情報Ｓ１に基づいて、対象ドライバが対象クーポンＣｐａを取得するために通過または滞留を行うべき通過ポイントが、スタンプラリーマップＳＲＭ１に含まれる通過ポイントＰＰ１１，ＰＰ１２，ＰＰ１３であることを認識する。
【０２３６】
判断部６２は、たとえば、位置情報取得部６１から受ける位置情報に基づいてスタンプラリーマップＳＲＭ１における自己の端末装置１１２の位置を監視する。
【０２３７】
たとえば、判断部６２は、自己の端末装置１１２が通過ポイントに到達するごとに、到達条件が満たされたか否かを判断し、判断結果を示す到達情報を作成する。判断部６２は、作成した到達情報を表示制御部５７および特典付与部６３へ出力する。
【０２３８】
特典付与部６３は、判断部６２による判断結果に基づいて、到達状況に対して付与すべき特典を決定する。
【０２３９】
より詳細には、特典付与部６３は、たとえば、処理部５５から地点情報Ｓ１および決定命令を受けると、決定処理を開始する。
【０２４０】
特典付与部６３は、処理部５５から受けた地点情報Ｓ１に基づいて、対象ドライバが対象クーポンＣｐａを取得するために通過または滞留を行うべき通過ポイントが、スタンプラリーマップＳＲＭ１に含まれる通過ポイントＰＰ１１，ＰＰ１２，ＰＰ１３であることを認識する。
【０２４１】
特典付与部６３は、たとえば、判断部６２から受ける到達情報に基づいて、通過ポイントＰＰ１１，ＰＰ１２，ＰＰ１３のすべてについて到達条件が満たされたか否かを判断する。
【０２４２】
特典付与部６３は、たとえば、通過ポイントＰＰ１１，ＰＰ１２，ＰＰ１３のすべてについて到達条件が満たされたと判断すると、到達状況に対して付与すべき特典として対象クーポンＣｐａを決定し、決定結果を処理部５５へ通知する。
【０２４３】
処理部５５は、特典付与部６３から決定結果の通知を受けると、受けた通知に基づいて、決定結果を示す決定結果情報を作成し、作成した決定結果情報を通信部５６へ出力する。
【０２４４】
通信部５６は、処理部５５から決定結果情報を受けると、受けた決定結果情報を基地局１５１経由でサーバ１０２へ送信する。
【０２４５】
なお、本発明の第２の実施の形態に係る端末装置は、スマートホンであるとしたが、これに限定するものではなく、たとえば車載装置であってもよい。
【０２４６】
また、本発明の第２の実施の形態に係るサーバの機能の一部または全部が、クラウドコンピューティングによって提供されてもよい。すなわち、サーバ１０２が、複数のクラウドサーバ等によって構成されてもよい。
【０２４７】
以上のように、本発明の第２の実施の形態に係る情報処理システムでは、サーバ１０２は、対象地点を決定し、決定した対象地点を示す地点情報を作成し、作成した地点情報を端末装置１１２に通知する。位置情報取得部６１は、自己の端末装置１１２の位置情報を取得する。判断部６２は、位置情報取得部６１によって取得された位置情報に基づいて、自己の端末装置１１２の対象地点への到達状況を判断する。特典付与部６３は、判断部６２による判断結果に基づいて、特典を付与することを決定する。そして、サーバ１０２は、端末装置１１２に対応する人物の属性に基づいて対象地点を決定する。
【０２４８】
このように、自己の端末装置１１２の位置情報を取得する構成により、たとえば、スタンプラリーの参加者が対象地点において掲示されたＱＲコードの情報内容を取得しなくても、自己の端末装置１１２の位置情報に基づいて、自己の端末装置１１２の対象地点への到達状況を判断することができるので、スタンプラリーの主催者によるＱＲコードの掲示の手間を軽減することができる。したがって、簡易な処理で、対象地点への到達状況に対して特典を付与することができる。
【０２４９】
さらに、このような構成により、端末装置１１２に対応する人物すなわちユーザの属性とマッチする適切な対象地点を示す地点情報を作成して当該ユーザに通知することができる。
【０２５０】
その他の構成および動作は第１の実施の形態に係る情報処理システムと同様であるため、ここでは詳細な説明を繰り返さない。
【０２５１】
なお、本発明の第１の実施の形態および第２の実施の形態に係る各装置の構成要素および動作のうち、一部または全部を適宜組み合わせることも可能である。
【０２５２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２５３】
以上の説明は、以下に付記する特徴を含む。
【０２５４】
［付記１］
情報処理装置であって、
対象地点を決定し、決定した前記対象地点を示す地点情報を作成する地点決定部と、
前記地点決定部によって作成された前記地点情報を端末装置に通知する通知部と、
前記端末装置の位置情報を取得する取得部と、
前記取得部によって取得された前記位置情報に基づいて、前記端末装置の前記対象地点への到達状況を判断する判断部と、
前記判断部による判断結果に基づいて、特典を付与することを決定する特典付与部とを備え、
前記情報処理装置は、サーバであり、
前記端末装置は、車載装置またはスマートホンであり、
前記判断部は、前記端末装置が前記対象地点において所定時間滞留したか否かに基づいて前記到達状況を判断し、
前記特典付与部は、前記端末装置が前記対象地点において前記所定時間滞留した場合、前記特典を決定する、情報処理装置。
【０２５５】
［付記２］
情報処理装置と、
端末装置とを備え、
前記情報処理装置は、対象地点を決定し、決定した前記対象地点を示す地点情報を作成し、作成した前記地点情報を前記端末装置に通知し、
前記情報処理装置は、前記端末装置の位置情報を取得し、
前記情報処理装置は、取得した前記位置情報に基づいて、前記端末装置の前記対象地点への到達状況を判断し、
前記情報処理装置は、判断した結果に基づいて、特典を付与することを決定し、
前記情報処理装置は、前記端末装置に対応する人物の属性に基づいて前記対象地点を決定し、
前記情報処理装置は、サーバであり、
前記端末装置は、車載装置またはスマートホンであり、
前記情報処理装置は、前記端末装置が前記対象地点において所定時間滞留したか否かに基づいて前記到達状況を判断し、
前記情報処理装置は、前記端末装置が前記対象地点において前記所定時間滞留した場合、前記特典を決定する、情報処理システム。
【０２５６】
［付記３］
情報処理装置と、
端末装置とを備え、
前記情報処理装置は、対象地点を決定し、決定した前記対象地点を示す地点情報を作成し、作成した前記地点情報を前記端末装置に通知し、
前記端末装置は、前記端末装置の位置情報を取得し、
前記端末装置は、取得した前記位置情報に基づいて、前記端末装置の前記対象地点への到達状況を判断し、
前記端末装置は、判断した結果に基づいて、特典を付与することを決定し、
前記情報処理装置は、前記端末装置に対応する人物の属性に基づいて前記対象地点を決定し、
前記情報処理装置は、サーバであり、
前記端末装置は、車載装置またはスマートホンであり、
前記端末装置は、前記端末装置が前記対象地点において所定時間滞留したか否かに基づいて前記到達状況を判断し、
前記端末装置は、前記端末装置が前記対象地点において前記所定時間滞留した場合、前記特典を決定する、情報処理システム。
【符号の説明】
【０２５７】
１  車両
２１  取得部
２２  判断部
２３  特典付与部
２４  地点決定部
２５  特典情報処理部
２６  記憶部
２７  履歴情報作成部
２８  登録処理部
２９  通知部
５１  受付部
５２  プローブ情報取得部
５５  処理部
５６  通信部
５７  表示制御部
５８  表示部
５９  車両状態検出部
６１  位置情報取得部
６２  判断部
６３  特典付与部
１０１  情報処理装置
１０２  サーバ（情報処理装置）
１１１  端末装置
１１２  端末装置
１２１  店舗端末装置
１３１  団体端末装置
１５１  基地局
３０１，３０２  情報処理システム
【図１】
2017021529.tif 000003
【図２】
2017021529.tif 000004
【図３】
2017021529.tif 000005
【図４】
2017021529.tif 000006
【図５】
2017021529.tif 000007
【図６】
2017021529.tif 000008
【図７】
2017021529.tif 000009
【図８】
2017021529.tif 000010
【図９】
2017021529.tif 000011
【図１０】
2017021529.tif 000012
【図１１】
2017021529.tif 000013